(57)【要約】画像表示システムは、表示装置と遠隔制御ユニットとを有する。遠隔制御ユニットには、発光ポインタ装置と、表示装置から放出される光を検出する検出器とが設けられている。ポインタ装置及び検出器は互いに対応する視線を有する。遠隔制御ユニットは更に、表示装置から放出される光を受けていることを表わす検出器の出力信号に応じてポインタ装置をスイッチオン及びスイッチオフさせる回路を有する。ポインタ装置は、前記出力信号が受光を表わす場合にスイッチオンされ、前記出力信号が受光を表わさない場合にスイッチオフされる。
2004505339.tif 000002
【特許請求の範囲】
【請求項１】
表示装置と遠隔制御ユニットとを有する画像表示システムであって、前記遠隔制御ユニットは、発光ポインタ装置と、表示装置から生じる光を検出する検出器とを有し、発光ポインタ装置と検出器とが互いに対応する視線を有している当該画像表示システムにおいて、
表示装置から生じる光の受光を表わす検出器の出力信号に応じて前記発光ポインタ装置をスイッチオン及びスイッチオフさせるスイッチング回路が設けられ、前記出力信号が受光を表わす場合に、発光ポインタ装置をスイッチオンさせ、前記出力信号が受光を表わさない場合に、発光ポインタ装置をスイッチオフさせるようになっていることを特徴とする画像表示システム。
【請求項２】
請求項１に記載の画像表示システムにおいて、前記スイッチング回路は、前記出力信号が受光を表わさない場合に発光ポインタ装置をスイッチオフさせるのを遅延させる遅延回路を有している画像表示システム。
【請求項３】
請求項２に記載の画像表示システムにおいて、前記遅延回路の遅延時間は、４０ミリ秒〜７０ミリ秒の範囲とするのが好ましいある範囲内で調整しうるようになっている画像表示システム。
【請求項４】
請求項１〜３のいずれか一項に記載の画像表示システムに用いる遠隔制御ユニットであって、この遠隔制御ユニットは、発光ポインタ装置と、表示装置から生じる光を検出する検出器とを有し、発光ポインタ装置と検出器とが互いに対応する視線を有している当該遠隔制御ユニットにおいて、
表示装置から生じる光の受光を表わす検出器の出力信号に応じて前記発光ポインタ装置をスイッチオン及びスイッチオフさせるスイッチング回路が設けられ、前記出力信号が受光を表わす場合に、発光ポインタ装置をスイッチオンさせ、前記出力信号が受光を表わさない場合に、発光ポインタ装置をスイッチオフさせるようになっていることを特徴とする遠隔制御ユニット。
【発明の詳細な説明】
【０００１】
本発明は、表示装置と遠隔制御ユニットとを有する画像表示システムであって、前記遠隔制御ユニットは、発光ポインタ装置と、表示装置から生じる光を検出する検出器とを有し、発光ポインタ装置と検出器とが互いに対応する視線を有している当該画像表示システム、及びこの画像表示システム用の遠隔制御ユニットに関するものである。
【０００２】
米国特許第 ５７９３３６１号明細書には、上述した種類の画像表示システムが開示されており、この場合、遠隔制御ユニット又はポインティングインタフェースに、発光ポインタ装置として細いビームの光源、例えば、レーザポインタを含めることができる。遠隔制御ユニットにポインタ装置を使用すると、遠隔制御ユニットの電力消費量を高め、これにより遠隔制御ユニットの電池寿命を著しく低減させる。更に、レーザポインタを使用すると、レーザポインタが人間の目をくらませるおそれがある為、安全上の問題が生じる。
【０００３】
米国特許第 ４６８７９１８号明細書には、ビューイングスクリーン上に投写される画像等を指示するシステムに用いるべき遠隔指向能力を有するレーザポインタが開示されている。この既知のレーザポインタは、このレーザポインタがビューイングスクリーンに向けられた場合のみ作動する。この目的のために、ビューイングスクリーンの周囲に光伝送装置が取付けられ、検出器がレーザポインタの先端に設けられている。
【０００４】
本発明の目的は、上述した種類の遠隔制御ユニットを有する改善した画像表示システムを提供せんとするにある。
【０００５】
本発明の画像表示システムにおいては、表示装置から生じる光の受光を表わす検出器の出力信号に応じて前記発光ポインタ装置をスイッチオン及びスイッチオフさせるスイッチング回路が設けられ、前記出力信号が受光を表わす場合に、発光ポインタ装置をスイッチオンさせ、前記出力信号が受光を表わさない場合に、発光ポインタ装置をスイッチオフさせるようになっていることを特徴とする。
【０００６】
本発明によれば、表示装置から発せられる光を、遠隔制御ユニットの発光ポインタ装置をスイッチオン及びスイッチオフさせるのに用いて有利な画像表示システムが得られる。
【０００７】
本発明は更に、上述した画像表示システムに用いる遠隔制御ユニットであって、この遠隔制御ユニットは、発光ポインタ装置と、表示装置から生じる光を検出する検出器とを有し、発光ポインタ装置と検出器とが互いに対応する視線を有している当該遠隔制御ユニットにおいて、表示装置から生じる光の受光を表わす検出器の出力信号に応じて前記発光ポインタ装置をスイッチオン及びスイッチオフさせるスイッチング回路が設けられ、前記出力信号が受光を表わす場合に、発光ポインタ装置をスイッチオンさせ、前記出力信号が受光を表わさない場合に、発光ポインタ装置をスイッチオフさせるようになっていることを特徴とする遠隔制御ユニットを提供する。
【０００８】
本発明の実施例を線図的に示す図面につき、本発明を以下に詳細に説明する。
図１には、本発明による画像表示システムの一例として、テレビジョン装置１を例示する。画像表示システムの他の例は、コンピュータシステム、マルチスクリーンのビデオウォール等である。テレビジョン装置１は、例えばＣＲＴとして形成しうる表示装置２を有する。テレビジョン装置１は更に、テレビジョン装置１を制御する上で、ユーザに与える自由度を改善する遠隔制御ユニット３を有する。この遠隔制御ユニット３は、図２の遠隔制御ユニットのブロック線図に線図的に示す発光ポインタ装置４を有する。図示の例では、このポインタ装置４は、図１に破線で示す細い光ビーム５を生じるレーザポインタとして形成する。テレビジョンシステム１のユーザは、表示装置２における適切なグラフィックユーザインタフェースに存在するアイコンに遠隔制御ユニット３を向け、次に、選択したアイコンをクリックして対応する機能を起動させることができる。選択されたアイコンの起動は、表示装置２から生じる光ビームを検出する検出器６に結合されたテレビジョンシステム１の回路（本発明に関連しないため図示せず）により検出しうる。表示装置２から生じる光ビームも、図１に破線５で示す。表示装置２は陰極線により走査される為、表示装置２の各画素は走査中光を放出する。テレビジョンシステム１の前記回路は、走査の開始時点と、検出器６が表示装置２からの光ビーム、すなわち、遠隔制御ユニット３が向けられた画素からの光ビームを検出する瞬時との間の時間を計算することにより、遠隔制御ユニット３が向けられた位置のｘ‐ｙ座標を計算する。この計算回路は本発明の一部を成すものではない為、遠隔制御ユニット３のこの制御機能の更なる詳細は説明しない。
【０００９】
しかし検出器６は、遠隔制御ユニット３が表示装置２に向けられている限り、検出信号出力を規則的に生じること明らかである。このことは、検出器６は表示装置２のフレーム周波数の繰返しレートで、例えば、ＰＡＬ方式の場合２０ミリ秒で、ＮＴＳＣ方式の場合１６．７ミリ秒で検出信号を生じるということを意味する。検出器６の出力信号は、ポインタ装置４をスイッチングオン及びスイッチングオフさせる回路７に供給される。図示の例では、この回路７は、検出器６の出力信号を双方とも受ける回路８及び遅延回路９を有する。回路８はポインタ装置をスイッチオンさせ、一方遅延回路９はスイッチオフ信号を回路８に供給し、その結果、ポインタ装置４をスイッチオフさせる。遅延回路９は、検出器６から出力信号をもはや受けなくなった場合に、例えば６２ミリ秒の遅延後に回路８にスイッチオフ信号を供給するタイマである。検出器６が表示装置２の１回の完全な走査毎に検出出力信号を生じる限り、タイマはリセットされる為、遅延回路９はスイッチオフ信号を生じない。
【００１０】
このように、ポインタ装置４は、遠隔制御ユニット３を表示装置２からそらしてから、又は遠隔制御ユニット３と表示装置２との間に人が入った場合にそれから、６２ミリ秒後にスイッチオフされる。従って、ポインタ装置４の光ビームが人間又は動物の目に当らないようにすることが補償される。更に、遠隔制御ユニット３の電池の寿命が著しく長くなる。
【００１１】
ポインタ装置４のスイッチオン動作は極めて速い。その理由は、テレビジョン方式の場合の表示装置２の走査繰返し時間はＰＡＬ方式の場合２０ミリ秒で、ＮＴＳＣ方式の場合１６．７ミリ秒である為である。約６２ミリ秒の遅延でポインタ装置をスイッチオフさせると、遠隔制御ユニット３が向けられている画素から放出される光を３回まで失うエラーを許容でき、しかもポインタ装置４をスイッチオフさせる応答時間を充分早くする。所望に応じ、遅延時間を適切ないかなる方法でも調整しうるようにしうる。
【００１２】
本発明は、上述した実施例に限定されず、本発明の範囲内で種々に変更しうること勿論である。
【図面の簡単な説明】
【図１】本発明による遠隔制御ユニットを有する画像表示システムの一実施例を示す線図的斜視図である。
【図２】図１の遠隔制御ユニットのブロック線図である。
【国際公開パンフレット】
2004505339.tif 000003
2004505339.tif 000004
2004505339.tif 000005
2004505339.tif 000006
2004505339.tif 000007
2004505339.tif 000008
【国際公開パンフレット（コレクトバージョン）】
2004505339.tif 000009
【国際調査報告】
2004505339.tif 000010
2004505339.tif 000011